(57)【要約】光ディスクドライブのための読み取り及び／又は書き込みヘッドは、レンズホルダ（８）と、支持フレーム（１１、１２、１６）と、前記レンズホルダ（８）を前記支持フレームにおいて吊着する手段（１５）とを有し、前記手段は前記レンズホルダ（８）の前記支持フレームに対する動きを制約し、前記レンズホルダ（８）におけるレンズの光軸（７）に平行なフォーカス方向（ｚ）における少なくとも制限された並進と、前記フォーカス方向（ｚ）に垂直なトラッキング方向（ｙ）における少なくとも制限された並進と、前記フォーカス方向及び前記トラッキング方向の両方に垂直な接線方向（ｘ）における軸のまわりの少なくとも制限された回転とのみを可能とし、前記読み取り及び／又は書き込みヘッドは更に、前記フォーカス方向（ｚ）に平行な巻軸を持つ２つのみの電導性のフォーカスコイル（９、１０）を有するアクチュエータ手段を有し、前記２つの電導性のフォーカスコイルのそれぞれは、コイル（９、１０）を流れる電流が前記フォーカス方向（ｚ）に前記レンズホルダ（８）と前記支持フレームとの間に力を生じるように磁気回路（１１、１２）に対して配置される。前記２つのフォーカスコイル（９、１０）の巻軸は、前記レンズホルダ（８）の質量中心を通り前記フォーカス方向及び前記接線方向に平行な平面の反対側に配置される。前記フォーカスコイル（９、１０）は、前記接線方向（ｘ）に離隔されて配置される。
2005522812.tif 000002
【特許請求の範囲】
【請求項１】
レンズホルダと、支持フレームと、前記レンズホルダを前記支持フレームにおいて吊着する手段とを有する、光ディスクドライブのための読み取り及び／又は書き込みヘッドであって、前記手段は前記レンズホルダの前記支持フレームに対する動きを制約し、前記レンズホルダにおけるレンズの光軸に平行なフォーカス方向における少なくとも制限された並進と、前記フォーカス方向に垂直なトラッキング方向における少なくとも制限された並進と、前記フォーカス方向及び前記トラッキング方向の両方に垂直な接線方向における軸のまわりの少なくとも制限された回転とのみを可能とし、前記読み取り及び／又は書き込みヘッドは更に、前記フォーカス方向に平行な巻軸を持つ２つの電導性のフォーカスコイルを有するアクチュエータ手段を有し、前記２つの電導性のフォーカスコイルのそれぞれは、コイルを流れる電流が前記フォーカス方向に前記レンズホルダと前記支持フレームとの間に力を生じるように磁気回路に対して配置され、前記２つのフォーカスコイルの巻軸は、前記レンズホルダの質量中心を通り前記フォーカス方向及び前記接線方向に平行な平面の反対側に配置される、読み取り及び／又は書き込みヘッドにおいて、前記フォーカスコイルが前記接線方向に離隔されて配置されることを特徴とする読み取り及び／又は書き込みヘッド。
【請求項２】
前記フォーカスコイルの各巻軸と、前記レンズホルダの質量中心を通り前記フォーカス方向及び前記接線方向に平行な平面との間の距離が、前記巻軸から前記接線方向に平行な横方向における各前記フォーカスコイルの巻線までの距離よりも小さいことを特徴とする、請求項１に記載の読み取り及び／又は書き込みヘッド。
【請求項３】
前記２つのフォーカスコイルは、前記レンズホルダの質量中心に対して点対称に配置される、請求項１又は２に記載の読み取り及び／又は書き込みヘッド。
【請求項４】
前記２つのフォーカスコイルは前記レンズホルダに装着される、請求項１乃至３のいずれか一項に記載の読み取り及び／又は書き込みヘッド。
【請求項５】
各前記磁気回路は、対応する前記フォーカスコイルの巻軸に沿って少なくとも部分的に該フォーカスコイルを通って延在するヨークを有する、請求項１乃至４のいずれか一項に記載の読み取り及び／又は書き込みヘッド。
【請求項６】
各前記磁気回路は前記フォーカス方向及び前記接線方向に平行な平面においてループを形成し、各前記磁気回路はエアギャップを有し、前記エアギャップを通って対応する前記フォーカスコイルの巻線が移動することができ、前記磁気回路を通る磁束に整列させられた巻軸を持つ少なくとも１つのラジアルコイルが、前記レンズホルダに装着され各前記エアギャップ中に配置される、請求項５に記載の読み取り及び／又は書き込みヘッド。
【請求項７】
２つの前記ラジアルコイルが、各前記磁気回路における前記エアギャップ中に前記トラッキング方向に並んで装着される、請求項６に記載の読み取り及び／又は書き込みヘッド。
【請求項８】
前記吊着する手段は４つのワイヤ部材を有し、それぞれの前記ワイヤ部材は一方の端において前記レンズホルダに接合され、他方の端において前記支持フレームに接合される、請求項１乃至７のいずれか一項に記載の読み取り及び／又は書き込みヘッド。
【請求項９】
前記ワイヤ部材は電導性の物質のものであり、前記コイルに電気的に接続される、少なくとも請求項４及び８に記載の読み取り及び／又は書き込みヘッド。
【請求項１０】
前記ワイヤ部材は弾力性の物質のクラッディングを備える、請求項８又は９に記載の読み取り及び／又は書き込みヘッド。
【請求項１１】
請求項１乃至１０のいずれか一項に記載の読み取り及び／又は書き込みヘッドを有する光ディスクドライブ。
【発明の詳細な説明】
【技術分野】
【０００１】
本発明は、レンズホルダと、支持フレームと、前記レンズホルダを前記支持フレームにおいて吊着する手段とを有する、光ディスクドライブのための読み取り及び／又は書き込みヘッドであって、前記手段は前記レンズホルダの前記支持フレームに対する動きを制約し、前記レンズホルダにおけるレンズの光軸に平行なフォーカス方向における少なくとも制限された並進と、前記フォーカス方向に垂直なトラッキング方向における少なくとも制限された並進と、前記フォーカス方向及び前記トラッキング方向の両方に垂直な接線方向における軸のまわりの少なくとも制限された回転とのみを可能とし、前記読み取り及び／又は書き込みヘッドは更に、前記フォーカス方向に平行な巻軸を持つ２つの電導性のフォーカスコイルを有するアクチュエータ手段を有し、前記２つの電導性のフォーカスコイルのそれぞれは、コイルを流れる電流が前記フォーカス方向に前記レンズホルダと前記支持フレームとの間に力を生じるように磁気回路に対して配置され、前記２つのフォーカスコイルの巻軸は、前記レンズホルダの質量中心を通り前記フォーカス方向及び前記接線方向に平行な平面の反対側に配置される読み取り及び／又は書き込みヘッドに関する。
【０００２】
本発明はまた、かような読み取り／書き込みヘッドを有する光ディスクドライブに関する。
【背景技術】
【０００３】
最初の段落において述べたタイプの読み取り／書き込みヘッドの例は、米国特許第Ａ５９０５２５５号より知られている。本文献は、可動部材を有する対物レンズドライバの例を開示している。対物レンズ、レンズホルダ、及び前記レンズホルダに固定された第１及び第２の永久磁石が、前記可動部材を構成する。前記対物レンズと前記第１及び第２の永久磁石とは、対称面について対称に配置される。前記対称面は、前記レンズホルダの重心を通って延在し、フォーカス方向及び接線方向に平行である。４つのワイヤ部材が、保持部材と前記レンズホルダとの間に、前記接線方向に平行に延在する。第１及び第２のボビンが、トラック方向に並んで配置されるように、固定された基盤に垂直に配置される。これらボビンは、フォーカス方向及びトラッキング方向に延在する、磁気プレートを有するヨークによって形成される。これらボビンのまわりには、トラッキング方向に巻軸を持つトラッキングコイルと、フォーカス方向に巻軸を持つフォーカスコイルとが巻かれている。
【発明の開示】
【発明が解決しようとする課題】
【０００４】
既知の構成は、磁気プレートの大きさ、前記トラッキングコイルのまわりのフォーカスコイルの巻線、及び前記トラッキング方向に並んだ前記ボビンの位置が、前記トラッキング方向における比較的大きな大きさに導くという不利点を持つ。光ディスクドライブにおいては、読み取り／書き込みヘッドは、読み取られるべき又は書き込まれるべきディスクに対して径方向に移動させられる。該読み取り／書き込みヘッドの向きは、前記トラッキング方向が該径方向に整列させられるようなものである。可能な限り大きなディスクのエリアがデータの記録及び読み取りのために利用されるべきである。しかしながら、前記トラッキング方向に大きな大きさを持つ読み取り／書き込みヘッドのレンズは、前記ディスクの回転の軸の近くに移動させられることができない。なぜならば、前記ディスクを回転させるために利用される駆動装置が、かようなレンズホルダの妨害をするからである。
【０００５】
本発明の目的は、前段において説明された種類の読み取り及び／又は書き込みヘッド、及びかようなヘッドを備えたディスクドライブを提供することにある。ここで前記レンズホルダの位置及び傾きは制御されることができ、該ヘッドは前記トラッキング方向に減少された大きさを持つことができる。
【課題を解決するための手段】
【０００６】
本目的は、前記フォーカスコイルが接線方向に離隔されて配置されることを特徴とする、本発明による読み取り／書き込みヘッドによって達成される。
【０００７】
前記フォーカスコイルが接線方向に離隔されるため、よりコンパクトな構成が得られることができる。なぜなら、前記トラッキング方向における前記コイルの巻軸の間の距離が、前記コイルを接触させることなく、前記コイルの外側の大きさよりも小さくすることができるからである。同時に、フォーカス及び接線方向に平行な平面の反対側のコイルの構成のため、２つのフォーカスコイルが反対の位相で駆動される場合にチルト動作が得られることができる。前記フォーカスコイルの構成は、一般に前記２つのフォーカスコイルに制限される。
【０００８】
フォーカスコイルが接線方向に離隔されて配置される構成は知られている。しかしながら、この既知の構成においては、フォーカスコイルは両方ともフォーカス及び接線方向に平行な平面にセンタリングされ、そのためチルト動作が不可能である。
【０００９】
好ましくは、２つのフォーカスコイルが、前記レンズホルダの質量中心に対して点対称に配置される。
【００１０】
このステップは、読み取り／書き込みヘッドの動作の間の共振周波数の励起に対する影響の受け易さを減少させる。
【００１１】
好ましくは、２つのフォーカスコイルが、前記レンズホルダに装着される。
【００１２】
このことは、読み取られるべき及び／又は書き込まれるべきディスクを駆動するモータのもののような外部電磁場が前記レンズホルダの位置及び向きに及ぼす影響が非常に小さいという利点を持つ。
【００１３】
好ましくは、各磁気回路は、対応する前記フォーカスコイルの巻軸に沿って少なくとも部分的に該フォーカスコイルを通って延在するヨークを有する。
【００１４】
これは僅かな場所しかとらない非常にコンパクトな構成である。
【００１５】
好ましくは、各磁気回路は、フォーカス及び接線方向に平行な平面においてループを形成し、エアギャップを有する。該エアギャップを通って、対応するフォーカスコイルの巻線が移動することができる。ここで少なくとも１つのラジアルコイルが前記レンズホルダに装着され、各エアギャップに配置される。ここで、巻軸は前記磁気回路を通る磁束に整列させられる。
【００１６】
かくしてトラッキング方向における並進が制御されることができる。上述した３つのタイプのアクチュエート全てについて、前記レンズホルダのそれぞれの側に１つのみの磁気回路が利用される。フォーカスコイル及びラジアルコイルが駆動される方法は、前記レンズホルダの位置及び方向を決定する。即ち、前記位置及び方向は、後者が支持フレームにおいて吊着される手段によって提供される制約の範囲内である。
【００１７】
本発明の更なる態様によれば、請求項１乃至１０のいずれか一項に記載の読み取り／書き込みヘッドを有する光ディスクドライブが備えられる。
【００１８】
かようなディスクドライブにおいては、トラッキング方向における読み取り／書き込みヘッドのコンパクトな大きさのため、ディスクは該ディスクの回転中心の近くにおいて読み取られる及び／又は書き込まれることができる。
【発明を実施するための最良の形態】
【００１９】
本発明は、添付する図を参照しながら以下により詳細に説明される。
【００２０】
光ディスクドライブにおいては、図１に模式的に示される光ディスク１の１以上の層に情報が符号化される。種々の原理が知られており、それぞれが本発明と共に利用するために適している。前記情報は、１以上の情報トラック２においてディジタル形式で保存されている。情報トラック２に沿った（光学）特性の変化が、ディスク１に記録された情報を含む。ディスク１を読み取るために、ディスク１はディスクドライブモータ３によって回転させられる。ディスク１はディスク１において反射された光の検出によって読み取られる。
【００２１】
図１及び２の例において、光ビーム４は、読み取り／書き込みヘッド６の一部であるミラー５によって、ディスク１の方向に反射される。多くのディスクドライブシステムは情報がディスク１に光学的に書き込まれることを可能とするため、本説明は読み取り／書き込みヘッドという語を用いる。光ビーム４はこのとき、異なるパワーレベル及び／又は波長を持つが、ディスク１が読み取られているときの場合と同様に、ディスク１における点にフォーカスされる必要がある。読み取り／書き込みヘッド６は読み取り若しくは書き込み又はこれらの両方のいずれかのために、ディスク１にビームをフォーカスさせるように意図されている。本発明の説明に関係のある読み取り／書き込みヘッド６の一部は、図１及び２に示される。ミラー５によって反射される光は、レンズホルダ８に配置された対物レンズ７によってディスク１にフォーカスされる。
【００２２】
典型的な光ディスクシステムにおいては、ディスク１にできるだけ多くの情報を収めるために、情報トラック２は径方向に非常に近接して離隔される。コンパクトディスク（ＣＤ）においては距離は１．６μｍであり、一方ディジタル・バーサタイル・ディスク（ＤＶＤ）においては距離は０．７４μｍである。より小さな波長の（レーザ）光の光源及びより高い開口数の対物レンズ７又はレンズ系が利用可能となるにつれて、より新しいシステムにおいては、より小さなトラック距離になる傾向がある。図１に示された構成においては、光ビーム４はディスク１に対して径方向に向けられる。ミラー５及び対物レンズ７の位置及び向きは、前記光がフォーカスされるディスク１における点を決定する。連続する情報トラック２間のより小さな距離は、読み取り／書き込みヘッド６の位置及び向きを制御するための、より正確なアクチュエータ装置によって可能とされる。
【００２３】
全体的に見てディスク１の径方向における読み取り／書き込みヘッド６の位置は、スライド又はスレッジ（図示されていない）において動作するウォーム歯車によって制御され、スレッジモータ（図示されていない）によって駆動されても良い。しかしながら、ディスク１におけるフォーカス点の位置の微調整はこのとき、読み取り／書き込みヘッド６の残りの部分に対するレンズホルダ８の位置を調節することによって実行される。この目的のため、読み取り／書き込みヘッド６は、前記スレッジに固定された又は前記スレッジの一部である支持フレームを有する。
【００２４】
レンズホルダ８は、レンズホルダ８の前記支持フレームに対する移動が制約されるように、前記支持フレームにおいて吊着されている。図１を参照すると、レンズホルダ８はまず第１に、フォーカス方向ｚにおける並進を行うことが可能である。即ち、レンズホルダ８は、ディスク１により近くに又はより遠くに移動されることができる。このようにして、前記光がフォーカスされるディスク１における正確な位置が調節されることができる。第２に、レンズホルダ８はトラッキング方向ｙにおける並進を行うことができる。トラッキング方向におけるレンズホルダ８の位置を変化させることにより、光ビーム４がフォーカスされる位置が、ディスク１の中心により遠くに又はより近くに移動させることができる。第３に、レンズホルダ８は傾けられることができる。即ちレンズホルダ８は接線方向ｘのまわりに回転を行うことができる。このようにして、前記ディスクのいずれの傾きにもかかわらず、レンズホルダ８が前記ディスクの面に常に局所的に垂直であるように、光ビーム４がディスク１にフォーカスされることができる。
【００２５】
レンズホルダ８の位置及び向きの調節は、ディスク１における又は情報トラック２における小さな幾何学的なずれについて調節するために利用される。とりわけ、完全な平面からのずれ、即ち「傘状」の形状が、傾きの度合い及びフォーカス方向における位置を変化させることにより補正されることができる。トラッキング方向ｙにおけるレンズホルダ８の並進の可能性は、情報トラック２の螺旋又は円形の形状からのずれについて補正することを可能とする。このことは、高い開口数を持つレンズ７が利用される場合により重要となる。かようなレンズは前記ディスクにより近くに配置されることができ、狭く近くに離隔された情報トラック２を持つディスク１を読み取ることを可能とする。
【００２６】
位置及び向きの正確な制御のために、読み取り／書き込みヘッド６は、アクチュエータ装置及び制御回路（図示されていない）を有する。前記制御回路は、前記アクチュエータ装置用の駆動信号を供給する。該制御回路は本発明の一部とは見なされず、この目的のための制御回路の多くの可能な実装が知られており、そのため前記制御回路の更なる説明は与えられない。
【００２７】
前記アクチュエータ装置は２つだけのフォーカスコイル、即ち第１のフォーカスコイル９及び第２のフォーカスコイル１０を有する。各前記コイルの巻軸は、フォーカス方向ｚに平行である。フォーカスコイル９及び１０はレンズホルダ８に固定される。フォーカスコイル９及び１０のそれぞれには磁気回路が備えられる。該磁気回路は、ヨーク１１及び永久磁石１２を有する。勿論、ヨーク及び電磁石が原則的に利用されても良い。
【００２８】
フォーカスコイル９及び１０の１つを流れる電流は、フォーカス方向ｚにおける力を引き起こす。図２に戻ると、第１及び第２のフォーカスコイル９及び１０が、レンズホルダ８の質量中心を通りフォーカス方向ｚ及び接線方向ｘに平行な平面の反対側に配置されることがより明らかに理解されるであろう。点線１は該面に存在する。かような配置により、第１及び第２のフォーカスコイル９及び１０が駆動されるときに生成される力間の不均衡が、レンズホルダ８の傾斜作用に帰着する。
【００２９】
第１及び第２のフォーカスコイル９及び１０は、レンズホルダ８の大きさに対して非常に大きいことが、図２より明らかであろう。巻線は必要となる力を生成するために十分な磁束を捕捉するために非常に大きい必要がある。勿論代替として、コイル９及び１０の高さ及び巻線の数は増大させられても良いが、レンズホルダ８は可能な限り平らである必要があり少ない質量を持つべきであるため、このことは望ましくない。前記電流も増大させられても良いが、このことは熱の発生、従って低い効率に導く。それ故コンパクトなレンズホルダ８を達成するために、第１及び第２のフォーカスコイル９及び１０は接線方向ｘにおいて離隔されて、即ち本場合においてはレンズホルダ８の反対の端に配置される。このことは、前記巻軸が、レンズホルダ８の質量中心を通る平面により近くは位置されることを可能とする。前記レンズホルダ８の質量中心を通る平面と線１との間の距離ｄは、前記接線方向と平行な側面において、前記巻軸からフォーカスコイル９及び１０の巻線の外端までの距離よりも小さいことに留意されたい。このことは、単にフォーカスコイル９及び１０が接線方向に離隔されて配置されるため可能である。読み取り／書き込みヘッド６のコンパクトな構成は、読み取り／書き込みヘッド６をディスク１の中心により近く移動させることを可能とする。このことは、前記中心に近いディスク１のより大きなエリアが情報の保存のために利用可能となることを意味する。
【００３０】
図２から推量されるように、フォーカスコイル９及び１０は、レンズホルダ８の質量中心に対して点対称に配置される。これらコイルは、前記質量中心を通りフォーカス方向ｚ及び接線方向ｘに平行な平面に対して等距離に配置されるだけでなく、前記質量中心を通りフォーカス方向ｚ及びトラッキング方向ｙに平行な平面に対して等距離に配置される。以下に説明されるように、レンズホルダ８の振動を抑制するための手段がとられるが、レンズホルダ８及び該レンズホルダ８の吊着器は、一定の共振振動数を持つバネ−質量系と見ることができる。力がレンズホルダ８に対して対称的に与えられるようにアクチュエータを構成することにより、寄生振動の生成はより効果的に抑制される。
【００３１】
図１及び図２のものの他の構成、即ち、フォーカスコイル９及び１０が前記支持フレームに装着される構成、及びヨークを持つ又は持たない永久磁石１２がレンズホルダ８に装着される構成もまた可能である。該構成は、大きな電流が必要とされ、熱が効果的にレンズホルダ８から移送されることができない場合に必要となり得る。しかしながら、アクチュエータ制御の点から、図に示された構成を利用することが望ましい。永久磁石１２は、ディスクドライブモータ３によって生成されるもののような、漏れ電磁界により生成される力に影響を受け易い。永久磁石がレンズホルダ８に装着されるとすると、レンズホルダ８はかような漏れ電磁界の影響の下で、制御不可能な態様で移動することになる。加えて、図示された構成は、一般に重量が小さく、レンズホルダ８をより応答性の高いものとする。このことはレンズホルダ８の位置及び向きの制御の観点から望ましい。更に実際には、レンズホルダ８がコイル９及び１０を担持するような構成は、熱放散が制御されることができる場合に、より効率的であることが明らかとなっている。
【００３２】
ヨーク１１及び永久磁石１２によって形成される２つの磁気回路のそれぞれの構成は非常にコンパクトであり効率的である。本発明の構成においては、永久磁石１２によって生成される殆ど全ての磁束がヨーク１１に集束させられる。ヨーク１１は、高い透磁率を持つ物質でできている。ヨーク１１は、対応する前記フォーカスコイルの巻軸に沿って少なくとも部分的に該フォーカスコイルを通って延在する。図１及び２から明らかであるように、前記磁気回路はエアギャップ１３を有する。エアギャップ１３は、前記磁束が前記ヨークを離れる前記ヨークの面を規定する。従って第１及び第２のフォーカスコイル９及び１０の巻線は、前記エアギャップを通って前記ヨークの面から磁石１２まで通過する前記磁束と交差する。前記磁束はコイル９及び１０の中心を通って導かれるため、コイル９及び１０を通って流れる電流との最大の交差が保証される。
【００３３】
本発明によれば、トラッキング方向ｙにおける移動を制御するために利用されるアクチュエータ装置のために同一の磁気回路が利用される。前記磁気回路は、フォーカス方向ｚ及び接線方向ｘに平行な平面においてループを形成する。それ故前記磁束はまた、前記回路における点において接線方向ｘに平行である。
【００３４】
エアギャップ１３はまた、２つのラジアルコイル１４を収容するための空間を提供する。２つのラジアルコイル１４は、各磁気回路におけるエアギャップ１３においてトラッキング方向ｙに並んで装着される。これらのラジアルコイル１４の巻軸は、接線方向ｘに整列させられる。ラジアルコイル１４及び前記磁気回路は、トラッキング方向ｙにレンズホルダ８の位置を制御するためのアクチュエータ装置を形成する。１つのみのラジアルコイル１４を利用することも可能であるが、２つを利用することが好ましい。なぜなら、単一のラジアルコイル１４を通る磁束は、レンズホルダ８がトラッキング方向ｙに位置を変化させるにつれて変化するからである。磁界密度の当該変化を考慮に入れるためには、より精巧な制御回路が必要とされる。本構成においては、ラジアルコイル１４の一方がヨーク１１及び永久磁石１２の端面間から出ると、補償のために他方がより完全にエアギャップ１３の中に移動する。２つのラジアルコイル１４を通る全体の磁束は略同じままである。
【００３５】
レンズホルダ８が読み取り／書き込みヘッド６の前記支持フレームに吊着されるようにする好適な手段は、４つのワイヤ部材１５により形成される。それぞれは、レンズホルダ８に一方の端において固定され、支持フレーム部１６に他方の端において固定される。ワイヤ部材１５は弾力性の物質でできており、該物質は好ましくは例えば銅、鉄又は合金のような電導性のものである。
【００３６】
ワイヤ部材１５は、レンズホルダ８の自由度の数を制限する。トラッキング方向ｙ及びフォーカス方向ｚの並進のみが可能である。接線方向ｘのまわりの傾きのみが許容される。とりわけ、フォーカス方向ｚ及びトラッキング方向ｙのまわりの傾きは不可能である。
【００３７】
ワイヤ部材１５は好ましくは電導性のものであり、そのため該部材はラジアルコイル１４並びに第１及び第２のフォーカスコイル９及び１０に駆動電流を供給するために利用されることができる。図３に戻ると、４つのワイヤ部材１５が、必要とされる駆動電流を供給するために丁度十分であることがわかる。制御回路（図示されていない）は、３つ制御電流を前記アクチュエータ装置に供給する。ラジアルコイル制御信号１７はトラッキング方向における移動を決定し、前記駆動電流の方向はこのとき当該移動がディスク１の中心に向かう向きか該中心から離れる向きかを決定する。フォーカス制御信号１８は、フォーカス方向ｚにおけるレンズホルダ８の位置を通して、対物レンズ７によりビーム４のフォーカスを制御する。傾き制御信号１９は、レンズホルダ８の傾きの度合い及び方向を制御する。傾き制御信号１９は、前記駆動電流を得るために、第１のフォーカスコイル９についてはフォーカス制御信号１８に加算され、第２のコイル１０については減算される。かくして、第１及び第２のフォーカスコイル９及び１０は、傾きを可能とするために異なる駆動電流を供給される。ラジアルコイル１４は全て同一の駆動電流を供給される。これらラジアルコイルはそれ故、直列に接続される。電導性のワイヤ部材１５の１つは、共通のワイヤであり、直列接続されたラジアルコイル１４及びフォーカスコイル９及び１０のそれぞれが一方の端において該ワイヤに接続される。ラジアルコイル１４への電流は、第２のワイヤ部材１５を通して供給される。第１及び第２のフォーカスコイル９及び１０への電流は、第３及び第４のワイヤ部材１５を通して供給される。
【００３８】
好ましくは、ワイヤ部材１５は、好ましくは電気的に絶縁物質である、弾力のあるクラッディングを備えられる。前記クラッディングの機能は、絶縁に加えて、前述したようにワイヤ部材１５とバネ−質量系を形成するレンズホルダ８の寄生振動を抑制することである。かくして、より正確な位置決めが達成される。
【００３９】
本発明は上述の実施例に限定されるものではなく、請求の範囲内で変更され得る。例えば、前記レンズホルダはロッド型のワイヤ部材によって吊着される必要は厳密にはない。ヒンジを形成するように形づくられたブレードが利用されても良いが、より堅いものとなり、従って前記レンズホルダを傾けるためにより大きな力を必要とする。更に、説明された実施例においては単一の対物レンズ７が利用されるが、光ドライブの複雑さに依存して、前記ビームをフォーカス及び／又はスプリットさせるために、前記レンズホルダはより精巧な光学系を有しても良い。
【図面の簡単な説明】
【００４０】
【図１】ディスクからの読み取り及び／又はディスクへの書き込みの間の読み取り／書き込みヘッドの図である。
【図２】読み取り／書き込みヘッドの図である。
【図３】レンズホルダの向き及び位置の制御を可能とする回路の図である。
【図１】
2005522812.tif 000003
【図２】
2005522812.tif 000004
【図３】
2005522812.tif 000005
【国際調査報告】
2005522812.tif 000006
2005522812.tif 000007
2005522812.tif 000008